(57)【特許請求の範囲】
【請求項１】
配布した用紙に専用筆記用具で描画すると同時に、専用筆記用具に付属する情報読み取り装置により、前記用紙に印刷された所定のパターンを読み取り、読み取ったパターンに基づいて専用筆記用具の状態情報および用紙の位置情報をペンＩＤと共に手書き情報として無線通信装置により送信するデジタルペンと、
前記デジタルペンから送信された手書き情報を無線通信装置によりペンＩＤと共に受信し、前記手書き情報に当該手書き情報を受信した前記無線通信装置が装備されたコンピュータを識別するクライアントに固有のクライアントＩＤを付加してペンＩＤと共に収集するクライアントのデータ処理装置と、
前記クライアントのデータ処理装置において収集されたペンＩＤと共にクライアントＩＤが付加された手書き情報を、クライアントからの要求により所定時間毎に収集し、前記手書き情報に対して、送信元のデジタルペンのペンＩＤに対する手書き情報による認証処理および手書き情報の筆跡情報から画像を描画して画像データを生成する画像処理を行い、前記デジタルペンの手書き情報としてクライアントＩＤ及びペンＩＤと共に画像データをデータベースに蓄積するサーバのデータ処理装置と
を備えることを特徴とする手書き情報処理システム。
【請求項２】
請求項１に記載の手書き情報処理システムを利用して多人数の筆跡情報を同時に収集する多人数筆跡情報同時収集システムであって、
前記クライアントのデータ処理装置に、
前記複数のデジタルペンのペンＩＤに対応してそれぞれの手書き情報を格納する領域を有するデータベースを備え、
前記クライアントのデータ処理装置は、
前記データベースに格納した手書き情報から描画の始点、終点、筆圧の筆跡情報を複数のデジタルペンのペンＩＤに対応して生成し、
前記筆跡情報に対してクライアントに固有のクライアントＩＤを付加してサーバのデータ処理装置にアップロードし、
サーバのデータ処理装置において各デジタルペンのペンＩＤに対応する筆跡情報を収集する
ことを特徴とする多人数筆跡情報同時収集システム。
【請求項３】
請求項１に記載の手書き情報処理システムを利用した多人数筆跡情報同時収集システムであって、
前記データベースは複数のデジタルペンのペンＩＤに対応してそれぞれの手書き情報を格納する領域を有するデータベースであり、
前記サーバのデータ処理装置は、
前記データベースに格納した手書き情報から描画の始点、終点、筆圧の筆跡情報を複数のデジタルペンのペンＩＤに対応して生成し、
前記筆跡情報に対して手書き情報に固有のペンＩＤを付加して、データベースに筆跡情報を収集する
ことを特徴とする多人数筆跡情報同時収集システム。
【請求項４】
請求項１に記載の手書き情報処理システムにおいて、
前記デジタルペンは、位置測定用の印刷パターンを光学読み取り装置を用いて読み取り、用紙の位置情報を取得する処理を行い、筆圧センサにより検出する筆圧の変化によって、描画の始点及び終点を判別し、手書き情報として筆跡情報を収集する
ことを特徴とする手書き情報処理システム。
【請求項５】
請求項１に記載の手書き情報処理システムにおいて、
クライアントのデータ処理装置とデジタルペンとの間の無線通信で用いる識別情報をペンＩＤとして利用する
ことを特徴とする手書き情報処理システム。
【請求項６】
請求項１に記載の手書き情報処理システムにおいて、
サーバのデータ処理装置は、
手書き情報の筆跡情報から文字を識別する識字エンジンと、
手書き情報の筆跡情報から画像データを生成する画像生成エンジンと
を備え、
データベースに識別した文字情報及び生成した画像データを格納する
ことを特徴とする手書き情報処理システム。
【発明の詳細な説明】
【技術分野】
【０００１】
本発明は、多人数の手書き情報または筆跡情報を同時に収集し、個人情報を認証すると同時に、作業の効率化のためのシステムとして利用可能な手書き情報処理システムに関するものであり、さらには、このような手書き情報処理システムを利用した多人数筆跡情報同時収集システムに関するものである。
【背景技術】
【０００２】
従来においては、個人認証などに利用可能な手書き情報または筆跡情報をデジタルデータとして収集して利用する場合は、手書き情報または筆跡情報をシステムに入力するユーザは、一人の人間が狭い空間に設置されたデジタル機器、たとえば、パソコンなどの手書き情報の入力装置を操作して、取り込む場合が多かった。
【０００３】
手書き情報または筆跡情報をネットワークを介して利用するシステムについては、手書情報または筆跡情報により個人認証が可能なことから、また、デジタルペンから開発されたことから、さまざまなシステムに利用され始めている。このようなシステムについては、特許文献１〜特許文献４が参照できるが、それぞれの利用システムごとに様々な問題があり、それらを解決してシステムを構成しなければならない。
【０００４】
例えば、特許文献１に記載の「データ収集ネットワークシステム」の発明は、筆記データ収集装置を使用して筆記データを収集する場合、多量の筆記データを収集することは難しかったとして、ポイントを付与するなどにより、インセンティブを高めるようにしてシステムを構成する。このシステムは、例えば、手書き文字入力機能を備えた携帯型の端末装置をユーザが実使用状況下で使用している状況において、ユーザが端末装置に手書文字入力した文字（画像データ）と、その候補文字等との対をフィールドデータとして、端末装置の製造業者が自社で所有する収集サーバで収集し、収集したフィールドデータを分析することによって、端末装置により文字認識性能が向上した製品を製造業者が開発することが可能となる。
【０００５】
特許文献２に記載の「手書き認証システム」は、従来の手書き認証システムが、署名などの常に固定された文字の手書き入力を毎回行うため、この手書き入力をネットワーク上にて搾取し、搾取した手書き入力データを送信するアプリケーションソフトを開発して手書き文字の認証時に使用することにより、本人に成り済ますことが可能となり、悪用される可能性があったとして、この発明の「手書き認証システム」は、発信者に手書き入力させる文字を任意に変更させることにより、ネットワーク上で手書き入力データが搾取されたとしても、その手書き入力データの再利用性を乏しくし、登録者本人に成り済ましての不正アクセスの防止をはかるようにしたシステムである。
【０００６】
また、特許文献３に記載の「情報入力システム」は、正当なユーザに対してのみ、手書きによる入力を許可するシステムである。このシステムでは、ユーザが「認識要求」と手書きし、続いてユーザＩＤなどを手書きすると、手書き入力ペンが、これらの文字を示す筆跡データなどを、入力装置に出力する。入力装置はユーザが手書きした文字を認識し、認識したデータＩＤ・名前と、その筆跡を示す筆跡データなどをペン情報サーバに送信する。ペン情報サーバは、入力装置から送られてきた筆跡データ・筆圧データなどと、予め登録された筆跡データとを比較する。ペン情報サーバは、これらが同一の範囲であると認められるときにはユーザを認証し、情報の入力を許可する。ペン情報サーバは、認証要求があったことと、その結果とをユーザに通知する。
【０００７】
手書き情報処理システムでは、手書き情報または筆跡情報をデジタルデータとして入力するために、デジタルペンが利用される。デジタルペンによる筆跡情報の入力方法については、特許文献４が参照できる。特許文献４に記載のデジタルペンは、アナト方式により手書き入力情報を記録するデジタルペンである。アナト方式では、専用用紙に印刷された印刷パターンに基づいて、デジタルペンの手書き操作における位置情報が抽出されて無線通信により送信される。
【特許文献１】特開２００２−０７３８９３号公報
【特許文献２】特開２００４−１１８３０２号公報
【特許文献３】特開２００５−１７３８０９号公報
【特許文献４】特開２００６−２８５５１６号公報
【発明の開示】
【発明が解決しようとする課題】
【０００８】
前述したように、手書き情報または筆跡情報をネットワークを介して利用するシステムにおいては、多人数の筆跡情報を同時に収集し、個人情報を認証すると同時に、システムの処理に係る作業についても効率化しなければならないが、多人数が同時作業する場所などでの作業効率アップは望めず、結果として手書き情報を収集して利用する手書き情報処理システムを構築することはコスト高になってしまうという問題があった。
【０００９】
更に解決されるべき課題として、手書き情報処理システムを設置して利用する作業場の環境の問題がある。従来の開発システムにおいては、手書き入力装置が接続されている端末装置（パソコン）は、有線で接続されており、多くの利用者が同時に利用できるようにするには、多数の端末装置を作業場に設置しなければならず、このようなシステムを設置して運用することは困難であった。つまり、大量人数に対応するシステムを構成することは困難であった。
【００１０】
本発明は、このような問題点を解決するためになされたものであり、本発明の目的は、多人数の手書き情報または筆跡情報を同時に収集し、個人情報を認証すると同時に、作業の効率化のためのシステムとして利用可能な手書き情報処理システムを提供することにある。また、このような手書き情報処理システムを利用した多人数筆跡情報同時収集システムを提供することにある。
【課題を解決するための手段】
【００１１】
上記のような目的を達成するため、本発明は、基本的な概念として、多人数の筆跡情報を同時に収集して、個人情報を認証するため、固有識別信号を持つ、無線アクセスポイントおよびデータベースサーバをサーバクライアントモデルを使って組み合わせることにより、多数の手書きデータを１箇所に集約することができるようなシステムとして手書き情報処理システムを構成する。
【００１２】
すなわち、クライアントサーバシステムと手書き情報を送信する手書き情報入力装置のデジタルペンとをサーバクライアントモデルを使って組み合わせるため、まず、クライアントサーバシステムのクライアント側のデータ処理装置において多数のデジタルペンから入力される手書き情報を収集し、さらにサーバ側のデータ処理装置において、クライアント側のデータ処理装置から多数の入力された手書き情報をアップロードしてデータ収集することにより、同時に多人数の扱いが可能な手書き情報処理システムを構成する。
【００１３】
具体的に、本発明にかかる手書き情報処理システムは、配布した用紙に専用筆記用具で描画すると同時に、専用筆記用具に付属する情報読み取り装置により、前記用紙に印刷された所定のパターンを読み取り、読み取ったパターンに基づいて専用筆記用具の状態情報および用紙の位置情報をペンＩＤと共に手書き情報として無線通信装置により送信するデジタルペンと、前記デジタルペンから送信された手書き情報を無線通信装置によりペンＩＤと共に受信し、前記手書き情報に当該手書き情報を受信した前記無線通信装置が装備されたコンピュータを識別するクライアントに固有のクライアントＩＤを付加してペンＩＤと共に収集するクライアントのデータ処理装置と、前記クライアントのデータ処理装置において収集されたペンＩＤと共にクライアントＩＤが付加された手書き情報を、クライアントからの要求により所定時間毎に収集し、前記手書き情報に対して、送信元のデジタルペンのペンＩＤに対する手書き情報による認証処理および手書き情報の筆跡情報から画像を描画して画像データを生成する画像処理を行い、前記デジタルペンの手書き情報としてクライアントＩＤ及びペンＩＤと共に画像データをデータベースに蓄積するサーバのデータ処理装置とを備えることを特徴とするシステムである。
【００１４】
また、このような構成の手書き情報処理システムを利用して多人数の筆跡情報を同時に収集する多人数筆跡情報同時収集システムであって、前記クライアントのデータ処理装置に、前記複数のデジタルペンのペンＩＤに対応してそれぞれの手書き情報を格納する領域を有するデータベースを備え、前記クライアントのデータ処理装置は、前記データベースに格納した手書き情報から描画の始点、終点、筆圧の筆跡情報を複数のデジタルペンのペンＩＤに対応して生成し、前記筆跡情報に対してクライアントに固有のクライアントＩＤを付加してサーバのデータ処理装置にアップロードし、サーバのデータ処理装置において各デジタルペンのペンＩＤに対応する筆跡情報を収集することを特徴とするシステムである。
【００１５】
また、この手書き情報処理システムを利用した多人数筆跡情報同時収集システムであって、前記データベースは複数のデジタルペンのペンＩＤに対応してそれぞれの手書き情報を格納する領域を有するデータベースであり、前記サーバのデータ処理装置は、前記データベースに格納した手書き情報から描画の始点、終点、筆圧の筆跡情報を複数のデジタルペンのペンＩＤに対応して生成し、前記筆跡情報に対して手書き情報に固有のペンＩＤを付加して、データベースに筆跡情報を収集するシステムとされることを特徴とする。
【００１６】
この場合、手書き情報処理システムにおいて、前記デジタルペンは、位置測定用の印刷パターンを光学読み取り装置を用いて読み取り、用紙の位置情報を取得する処理を行い、筆圧センサにより検出する筆圧の変化によって、描画の始点及び終点を判別し、手書き情報として筆跡情報を収集するように構成されることを特徴とする。
【００１７】
また、手書き情報処理システムにおいては、クライアントのデータ処理装置とデジタルペンとの間の無線通信で用いる識別情報をペンＩＤとして利用するような構成されてもよく、サーバのデータ処理装置は、手書き情報の筆跡情報から文字を識別する識字エンジンと、手書き情報の筆跡情報から画像データを生成する画像生成エンジンとを備え、データベースに識別した文字情報及び生成した画像データを格納するような構成のシステムとされることを特徴とする。
【発明の効果】
【００１８】
本発明による手書き情報処理システムは、上記のような特徴的なシステム構成にすることにより、クライアントサーバシステムのクライアントとするデータ処理装置の数を増やしたり、携帯電話などの端末を併用したりすることにより、さらに多人数の手書き情報の扱いを可能とすることができる。また、サーバ側のデータ処理装置においてアプリケーションプログラムを実行させることにより、クライアント側のシステム要素にかかるコストを最小限にし、コストパフォーマンスの向上をはかることができる。さらには、ＷＥＢシステムやメールシステムとの組み合わせによりリアルタイムで送信者に手書き情報をエコーバックすることが可能となる手書き情報システムを構成できる。また、使用者グループでの情報共有を可能とできるシステムに構成することもできる。
【発明を実施するための最良の形態】
【００１９】
以下、図面を参照しつつ、本発明による手書き情報処理システムの好適な実施例について説明する。図１は、デジタルペンを用いる手書き情報処理システムの全体のシステム構成を説明する図である。図１に示すシステムは、デジタルペンにより自署された手書き情報に基づいて利用者自身の在籍を確認する在籍確認システムとして機能するように構成された手書き情報処理システムである。
【００２０】
図１において、１０１は第１の教室であり、１０２は第２の教室である。それぞれの教室には、在籍確認が求められる利用者が在籍しており、それぞれにデジタルペン１１と所定の用紙１０が配布されて、利用者は、デジタルペン１１により所定の用紙１０に在籍確認の例えば署名を行う。在籍確認が求められる利用者に配布された用紙１０には、アノト方式で用紙の位置情報が抽出できる所定のパターンが予め印刷されており、更に、用紙１０には在籍確認のために利用者が署名する欄を指示するためのフォームが重ねて印刷されている。この用紙１０に対して、例えば、利用者がデジタルペン１１を操作して、用紙１０のフォームの所定の欄に署名すると、または文字を記入すると、その手書き情報は、描画の始点、終点、筆圧の筆跡情報としてデジタルペン１１により抽出されて、デジタルペン１１に付属している無線通信装置により手書きデータ受信用パソコン１２に無線送信される。デジタルペン１１としては、例えば、特許文献４に記載されているようなアノト方式により用紙に印刷されたパターンを読み取り手書き情報を収集できるデジタルペンを用いる。このようなデジタルペンの構造は周知であり、ここでの説明の詳細な説明は省略するが、データ処理装置、記憶装置、画像読み取り装置、筆圧センサ、無線通信装置などを備えており、手書き情報を抽出して送信する装置である。
【００２１】
手書きデータ受信用パソコン１２には、デジタルペン１１からの手書き情報を受信する無線通信装置が設けられおり、この無線通信装置により、デジタルペン１１から送信されてきた手書き情報を受信して、個々のデジタルペン１１に対応したフィールドが設けられている手書き情報データベースの格納領域に一時的に格納される。
【００２２】
手書きデータ受信用パソコン１２は、クライアント装置として、所定時間毎に情報収集用データベースサーバ１３に対してアップロードのアクセス要求を出し、情報収集用データベースサーバ１３は、手書きデータ受信用パソコン１２からのアップロード要求を受けて、そのサービス処理として、手書きデータ受信用パソコン１２から送信されたデジタルペンの手書き情報を収集して、手書き情報データベースに格納する。
【００２３】
情報収集用データベースサーバ１３には、筆跡情報から描画された文字を識別する手書きデータ解析エンジン、筆跡情報から描画された画像を生成する画像生成エンジンが設けられており、手書きデータ受信用パソコン１２から受信したデジタルペンの手書き情報に対して、手書きデータ解析エンジンによりその筆跡情報に対する認証処理を行い、また、画像生成エンジンにより筆跡情報から画像データを生成する。個人認証の処理のため、所定のサービスを提供するクライアントから、手書き情報の画像データの要求があった場合に、この画像データを出力して送信する。
【００２４】
図１に示すシステム構成では、画像生成エンジン、手書きデータ解析エンジンを情報収集用データベースサーバ１３に備える構成としているが、画像生成エンジン、手書きデータ解析エンジンを別途に設けられるサーバに備えるシステム構成としてもよい。その場合には、情報収集用データベースサーバ１３がデジタルペン１１からの手書き情報を収集した際に、画像データ生成サーバ１４、識字エンジンサーバ１５を利用して、これらのサーバにそれぞれのサービス要求を送信して、手書き情報のデータ処理要求を発行する。このように構成すると、情報収集用データベースサーバ１３におけるデータ処理の負荷が減少して、さらに多くの人数の手書き情報を収集できるシステム構成とすることができる。
【００２５】
図２は、図１に示す手書き情報処理システムにおけるデータ処理の流れを示すブロック図である。図２を参照して、手書き情報処理システムにおける手書き情報のデータ処理の流れについて説明する。
【００２６】
それぞれの教室において、配布された所定の用紙において利用者により文字記入などが行われて、デジタルペン１１が操作されると、それぞれのデジタルペン１１に、内蔵している記憶装置に手書きデータ２０１が時系列的に記憶される。手書きデータ２０１が所定のデータ量に達すると、内蔵された無線通信装置により、手書きデータ受信用パソコン２０２に無線通信される。この無線通信としては、ブルーツース（Bluetooth）のプロトコルによる通信が利用される。
【００２７】
手書きデータ受信用パソコン２０２は、手書きデータ２０１を受信する無線通信装置として、例えばブルーツースドングルが装備されており、この無線通信装置を介して手書きデータ２０１を受信する。デジタルペン１１から手書きデータを受信する無線通信装置としてブルーツースドングルを用いることにより、クライアント半径５メートル以上の場所で、１０人以上の人が操作するデジタルペン１１からの手書きデータを受信して収集することが可能となる。２セット以上のブルーツースドングルを備えたクライアントのデータ処理装置を用いることにより、クライアント半径１０メートル以上の場所で、２０人以上の人が操作するデジタルペン１１からの手書きデータを受信して収集することが可能となる。受信した手書きデータは、それぞれのデジタルペンを識別するペンＩＤに対応づけて手書き情報収集用データベースに記憶される。
【００２８】
また、手書きデータ受信用パソコン２０２は、データベースサーバに対するクライアント機能として、情報収集用データベースサーバ２０５に対して、デジタルペン１１から収集された手書きデータ２０４をアップロードする処理を実行するため、手書きデータ受信用パソコン２０２には、この処理機能を提供するためのアップロードプログラム２０３がインストールされており、アップロードプログラム２０３の処理機能により、手書きデータ２０４が情報収集用データベースサーバ２０５にアップロードされる。アップロードの処理においては送信元のクライアントの手書きデータ受信用パソコン２０２を識別するクライアントＩＤが手書きデータ２０４に付加されて送信される。これにより、情報収集用データベースサーバ２０５に収集された手書きデータ２０１には、デジタルペン１１に固有のペンＩＤ、手書きデータ受信用パソコン１３に固有のクライアントＩＤが付加されて情報収集用データベースサーバ２０５の手書き情報データベース２０６に格納される。
【００２９】
情報収集用データベースサーバ２０５に設けられている手書き情報データベース２０６のデータ構造は、図２に示されるように、クライアントＩＤ、手書きデータ、ペンＩＤ、最初のペンタッチ日時、最後のペンタッチ日時、画像データ、画像処理済フラグ、およびアップロード日時の各データを格納するデータフィールドが設けられたデータベースである。
【００３０】
手書き情報データベース２０６の各フィールドに格納された手書きデータのレコードデータに対して、情報収集用データベースサーバ１３に備えられた手書きデータ解析エンジン、画像生成エンジンを用いることによるデータ処理を行い、手書きデータを解析して、ペンの動きの筆圧及び筆跡データの時系列情報から、手書きされた文字を認識する識字処理を行い、また、手書きデータから描画された画像データを生成する。
【００３１】
図３は、デジタルペンが利用される環境の手書きデータ受信用パソコンが設置された教室を説明する図である。図示されるように、教室１０１には、壁側に手書きデータ受信用パソコンが設置されており、手書きデータ受信用パソコンには教室中央部の天井に設置されたブルーツースドングルが接続される。このブルーツースドングルを介して、デジタルペンが手書きデータ受信用パソコンと無線通信を行って、デジタルペンから送信される手書きデータを受信する。
【００３２】
図４は、手書き情報処理システムの別の実施例のシステム構成を説明する図である。図４に示す手書き情報処理システムは、デジタルペンにより自署された手書き情報に基づいて退出時の安全を確認する退出時安全確認システムとして機能するように構成された手書き情報処理システムである。また、図５は、退出時安全確認システムにおいて利用する安全確認チェックのためのチェックシートの一例を示す図である。
【００３３】
図４および図５を参照して説明する。図４において、４０１は安全が確認されるべき第１の研究室であり、４０２は安全が確認されるべき第２の研究室である。それぞれの研究室は、デジタルペン５１を操作する利用者が在籍しており、利用者が操作したデジタルペン５１から送信される手書き情報に基づき、利用者の存在の確認と研究室から退出時の確認が行われる。
【００３４】
安全確認チェックのためのチェックシートとして、図５に示すように、安全確認すべき箇所を指示するとともにそのチェックのためのフォームが印刷された所定の用紙５２が用意されている。用紙５２を利用して、利用者は退出時の安全確認を行う。退出時に用紙５２のチェック欄にデジタルペン５１によりチェックの記入を行い、利用者本人が署名を行うことにより、その手書き情報から、退出時の安全確認が行われ、さらに安全確認を行った利用者本人の認証が行われる。チェックシートの用紙５２にデジタルペンにより記入を行った時刻が記録されることにより、退出日時が登録される。
【００３５】
このように、シートの用紙５２を利用して、デジタルペン５１により安全確認すべき場所の安全確認を行うと共に、安全確認を行った箇所のチェック欄にチェックの印を記入する。チェックシートの用紙５２には、アノト方式で用紙の位置情報が抽出できる所定のパターンが予め印刷されており、安全確認のためのチェック欄を指示するためのフォームが重ねて印刷されている。
【００３６】
用紙５２に対して、利用者がデジタルペン５１を操作して、用紙５２のフォームの所定の欄にチェック印を記入すると、その手書き情報は、用紙の位置情報の時系列情報により描画の始点、終点、筆圧の筆跡情報としてデジタルペン５１により抽出されて、デジタルペン５１に付属している無線通信装置により手書きデータ受信用パソコン５３に無線送信される。
【００３７】
手書きデータ受信用パソコン５３には、デジタルペン５１からの手書き情報を受信する無線通信装置が設けられており、この無線通信装置により、デジタルペン５１から送信されてきた手書き情報を受信して、安全確認をおこなう研究室に対応したフィールドが設けられている手書き情報データベースの格納領域に一時的に格納される。
【００３８】
手書きデータ受信用パソコン５３は、クライアント装置として、情報収集用データベースサーバ５４に対してアップロードのアクセス要求を出し、情報収集用データベースサーバ５４は、手書きデータ受信用パソコン５３からのアップロード要求を受け、手書きデータ受信用パソコン５３から送信された安全確認のための手書き情報を収集して、手書き情報データベース５５に格納する。
【００３９】
この場合の手書き情報データベース５５は、図４の下部に示すように、安全確認を行う研究室に対応して、退出日時、ペンＩＤ、部屋番号の各データを格納するデータフィールドが設けられたデータ構造のデータベースとしている。さらに、このデータベースに追加するデータとして、図示されないが、筆跡情報を格納するデータフィールドが設けられることより、手書き情報の筆跡情報を利用して、退出時に安全確認を行った利用者の個人を判別することができる。
【００４０】
手書き情報データベース５５のレコードデータとして各フィールドに格納された手書きデータを用いて、各研究室の退出時の安全確認が行われるが、この場合に、画像データ生成サーバ５６に備えられた手書きデータ解析エンジン、画像生成エンジンを用いることによるデータ処理を行い、手書きデータを解析して、ペンの動きの筆圧及び筆跡データの時系列情報から、手書きされた文字を認識する識字処理を行い、また、手書きデータから描画された画像データが生成される。これらのデータは、情報収集用データベースサーバ５４の手書き情報データベースに関連づけられて格納されているので、情報閲覧用パソコン５９からの要求により、情報閲覧サーバ５７を介して閲覧できる。また、情報送信サーバ５８を介して、情報送信サーバ５８のメールサービスにより携帯電話または携帯情報端末（ＰＤＡ）などに対して退出時の安全確認の結果データが送信される。
【００４１】
このように、本発明にかかる手書き情報処理システムは、デジタルペンを用いることにより、また、多数の利用者が操作する多数のデジタルペンから無線通信により送信される手書き情報を、サーバクライアントモデルの仕組みを用いて手書き情報データベースに収集して利用することにより、手書き情報を利用して作業を効率よく進められるシステムを構築することができる。
【００４２】
本発明の実施例として手書き情報処理システムのシステム構成について説明したが、これに対応して、本発明の特徴点について説明すると、デジタルペン（１１，５１）は、配布した用紙に専用筆記用具で描画すると同時に、専用筆記用具に付属する情報読み取り装置により、用紙に印刷された所定のパターンを読み取り、読み取ったパターンに基づいて専用筆記用具の状態情報および用紙の位置情報をペンＩＤと共に手書き情報として通信装置により送信するデジタルペンであり、手書きデータ受信用パソコン（１２，５３）は、デジタルペンから送信された手書き情報を受信し、手書き情報にクライアントに固有のクライアントＩＤを付加して収集するクライアントのデータ処理装置であり、また、情報収集用データベースサーバ（１３，５４）は、クライアントのデータ処理装置において収集されたクライアントＩＤが付加された手書き情報をペンＩＤと共に、クライアントからの要求により所定時間毎に収集し、前記手書き情報に対して、送信元のデジタルペンの認証処理および手書き情報を画像データに変換する画像処理を行い、前記デジタルペンの手書き情報としてデータベースに蓄積するサーバのデータ処理装置である。
【図面の簡単な説明】
【００４３】
【図１】デジタルペンを用いる手書き情報処理システムの全体のシステム構成を説明する図である。
【図２】手書き情報処理システムにおけるデータ処理の流れを示すブロック図である。
【図３】デジタルペンが利用される環境の手書きデータ受信用パソコンが設置された教室を説明する図である。
【図４】手書き情報処理システムの別の実施例のシステム構成を説明する図である。
【図５】退出時安全確認システムにおいて利用する安全確認チェックのためのチェックシートの一例を示す図である。
【符号の説明】
【００４４】
１０  用紙
１１  デジタルペン
１２  手書きデータ受信用パソコン
１３  情報収集用データベースサーバ
５１  デジタルペン
５２  用紙
５３  手書きデータ受信用パソコン
５４  情報収集用データベースサーバ
５５  手書き情報データベース
５６  画像データ生成サーバ
５７  情報閲覧サーバ
５８  情報送信サーバ
１０１  第１の教室
１０２  第２の教室
２０１  手書きデータ
２０２  手書きデータ受信用パソコン
２０３  アップロードプログラム
２０４  手書きデータ
２０５  情報収集用データベースサーバ
２０６  手書き情報データベース
４０１  第１の研究室
４０２  第２の研究室
【図１】
0004688855.tif 000002
【図２】
0004688855.tif 000003
【図３】
0004688855.tif 000004
【図４】
0004688855.tif 000005
【図５】
0004688855.tif 000006